(57)【特許請求の範囲】
【請求項１】
２個のプーリー（１、２）を備え、前記プーリーのそれぞれは２個の実質的に円錐形のプーリー・シーブ（４、５）からなり、前記シーブ（４、５）は半径方向に凸状曲面を備えるシーブ面（１０）を画定し、両方の前記プーリー（１、２）の前記円錐形のプーリー・シーブ（４、５）の間に可変半径方向位置（Ｒ）で駆動ベルト（３）を保持し、前記駆動ベルト（３）は横断要素（３２）を備え、前記横断要素（３２）は、横方向の両側に前記プーリー（１、２）のプーリー・シーブ（４、５）の前記シーブ面（１０）と摩擦接触するための接触面（４０）を備え、前記接触面（４０）は、少なくともその高さ方向、すなわち前記プーリー（１、２）に関して半径方向に凸状曲面を持つ、車両用の無段変速機において、
１つ以上の溝（４１）を前記接触面（４０）に設け、
前記溝（４１）が前記接触面（４０）の幅または高さの全寸法に渡って延び、各々の前記溝（４１）は、前記横断要素（３２）が前記プーリー（１，２）と接触する時、開放端流路を形成する、
ことを特徴とする変速機。
【請求項２】
前記接触面（４０）は単一の前記溝（４１）を備え、前記溝は、本質的に前記接触面（４０）の高さ方向に延び、前記接触面（４０）の少なくとも実質的に中央に位置する、ことを特徴とする請求項１記載の変速機。
【請求項３】
前記接触面（４０）は１組の前記溝（４１）を備え、前記溝は本質的に前記接触面（４０）の幅方向に、すなわち、前記プーリー（１、２）に関して半径方向に対して垂直に伸長する、ことを特徴とする請求項１記載の変速機。  
【請求項４】
前記溝（４１）は、滑らかに曲がった凹状の底面によって画定され、それぞれの長辺は凸状曲面の縁面を介して前記接触面（４０）と接合する、ことを特徴とする請求項１から３のいずれか１項記載の変速機。
【請求項５】
請求項１から４のいずれか１項に記載の変速機用の駆動ベルト（３）であって、前記ベルト（３）は、半径方向に多数の前記横断要素（３２）を包囲する連続張力要素（３１）を備え、これにより、前記横断要素（３２）は可動で、前記横断要素（３２）を前記連続張力要素（３１）に対して前記ベルト（３）の周方向に移動可能にし、前記横断要素（３２）は、横方向側面の両側に変速機プーリー（１、２）と摩擦接触するための前記接触面（４０）を備え、前記接触面（４０）は、少なくともその高さ方向、すなわち前記プーリー（１、２）に関して半径方向に凸状曲面を持つ、駆動ベルト（３）において、
前記接触面（４０）に１つ以上の前記溝（４１）を備える、
ことを特徴とする駆動ベルト（３）。
【発明の詳細な説明】
【技術分野】
【０００１】
本発明は、特許請求の範囲第１項に記載前段に記載するように、特に凸状プーリー・シーブを備えるプーリーを持つ無段変速機、およびその駆動ベルトに関連する。この種の駆動ベルトおよび関連する変速機の例は、特許文献１に記載される。
【背景技術】
【０００２】
プッシュベルトとして周知のこの駆動ベルトは、とりわけ一連の横断要素によって特徴付けられ、それぞれが下部体、中間体、上部体からなる。下部体の腹側面（接触面）または側面は、この場合、その高さ方向に凸曲面を備え、わずかに膨張した、すなわち、同様に半径方向に凸面の、変速機の駆動または一次プーリーのシーブ面、および従動または二次プーリーのシーブ面と摩擦接触することを意図される。上部体の方向に面する、下部体の上面の一部、すなわち、半径方向外向きの縁は、連続張力要素の支持面を形成し、張力要素は全体として、多数の入れ子で平坦で比較的薄い金属製のリングの１以上の群から形成される。横断要素の実質的に矢印形状の上部体は、張力要素の上または半径方向外に位置し、高さ方向に後者を取り囲む一方、張力要素の高さに位置する中間体は、下部体と上部体を互いに連結する。この場合の中央体の横向きの縁は、１群の張力要素のリングについて軸方向に停止面を形成する。
【０００３】
横断要素は、張力要素の周方向に移動可能となるようプッシュベルトに保持される。本配置において、各横断要素のある主要面、例えば後面は凹部を備え、それぞれの他の主要面、例えば前面は突起を備え、それぞれの場合、一横断要素の突起は、隣接する横断要素の凹部に保持される。さらに、横断要素の下部体は、傾斜縁と呼ばれるものを備え、これはすなわち、実質的に一定の厚みの横断要素の上面と先細りの下面との間の全体としてわずかに丸みを帯びた過渡部であり、それは、横断要素の前または後面において腹側面（接触面）の間に伸長する。傾斜縁により、隣接する横断要素の間で傾斜またはロール移動を可能にし、プーリーの位置で要求されるように、プッシュベルトはその周方向で湾曲経路に追従する。
【０００４】
周知のプッシュベルトは、実際には張力要素の全周を満たす、多数のこのような横断要素からなり、一連の横断要素は２個のプーリーのシーブの間にクランプされ、摩擦の助けによりその２個のプーリーの間で力を伝達できるようにする。部分的にその結果として、駆動力を変速機のプーリーの間で伝達することができ、横断要素は張力要素からの支持および案内により互いを前進させる。
【０００５】
周知の駆動ベルトは本質的にうまく機能するが、無段変速機の動作中、腹側面（接触面）とシーブ面との間の理論的点状接触における摩擦係数が、既に広く用いられ一般的に周知であり、横断要素とプーリー・シーブとの間で線形または均等に面接触する従来の変速機の摩擦係数と比較した場合、形状溝に中断されたとしても、予想外かつ不望の比較的低い値となることに出願人は気づいた。例として、特許文献２が、この種の変速機について０．０９の摩擦係数を報告しているが、特定の動作条件下での現行タイプの変速機では、このパラメータは０．０５またはさらに小さい値を採ることがある。この種の低い値は、同じ摩擦力に対し必要となる摩擦接触における（比例的に）より高い法線力と、それに伴う変速機の高い機械的負荷および磨耗のため、非常に不利である。
【特許文献１】ドイツ国特許ＤＥ−Ａ−１００  ６２  ４６３
【特許文献２】ＥＰ−Ａ−０  ９３１  ９５９
【発明の開示】
【０００６】
本発明の目的は、現行タイプの凸湾曲腹側面（接触面）を持つ変速機をベースとする駆動ベルトとプーリーとの間の油潤滑された摩擦接触において発生する摩擦係数を上げることで、その狙いは、望ましくはこの摩擦係数を略０．０９の従来の値に非常に近いか、これより高い値さえ達成することである。本発明によると、この目的は、駆動ベルト設計における請求項１に記載する手段を用いて達成することができる。
【０００７】
その手段自体は、上述の従来の変速機から周知であるが、この手段を現行タイプの変速機にも採用することは自明ではなかった。腹側面（接触面）とシーブ面との間で画定される点状接触において、少なくとも線または面接触に対する影響と比較して、腹側面の溝が潤滑条件に有意な影響を与えることはない、と予想される。そのためこの種の溝を、球面或いはその他の凸面のプーリー・シーブ接触面を備える周知のタイプの駆動ベルトと組み合わせて用いることは、何十年も知られていなかった。周知のベルトのタイプは例えば、ＵＳ−４，６２２，０２５およびＵＳ−Ａ−３，９１６，７０９によって公知である。
【０００８】
そのため、通常は低摩擦係数問題に対する解決法を、接触面の一方または両方の粗度を増し、さらに接触圧を上げ、および／または潤滑剤に添加剤を加える等、一般的に周知の摩擦を増大させる手段に求めがちである。それにもかかわらず、出願人は、少なくともＤＥ−Ａ−１００  ６２  ４６３により周知のプッシュベルトの場合、およびさらにはＵＳ−４，６２２，０２５により周知のいわゆるチェーンベルトの場合、腹側面における１つ以上の溝の存在が、上述の摩擦係数を相当に改善し、これを有意に高い値に変移させることを、実験的観察に基づき予想外に確定することができた。
【０００９】
特に、同様のタイプのチェーンベルトはＥＰ−Ａ−１  ４４３  ２４２により周知であることを指摘しておく。しかしながら、この後者の実施例では、そのクロス要素、すなわちピンとストリップが、平面な、すなわち非曲面の、半径方向に対して固定角度を向いた腹側面を備え、面接触が側面とシーブ面との間で実現される。そのため、この腹側面設計は、横断要素の腹側面が高さ方向に凸であるため、変速機で定義された点状摩擦接触を有する本請求の変速機よりはむしろ、従来のＥＰ−Ａ−０  ９３１  ９５９の変速機設計に一致している。さらに、ＥＰ−Ａ−１  ４４３  ２４２においては、溝が横方向に閉じた凹部として定義され、それがオイルを保持して側面とプーリー・シーブとの間に、一種の機械的クッションとしてオイルのプールを形成できることが必須の特徴である。
【００１０】
従って、プーリー・シーブと面接触を提供する、駆動ベルトの横断要素の平らな腹側面に溝を設けることは周知であるが、かかる手段は、点状摩擦接触を与える本請求の凸湾曲腹側面と組み合わせては、明らかに、これまで示唆されることはなく考慮されなかったと要約することができる。
【００１１】
本発明による第１の実施例では、腹側面（接触面）は１つ以上の溝を備え、これは実質的に上述の高さ方向に腹側面の全寸法に渡って延びる。少なくともプーリー・シーブに関して半径方向に向くこのタイプの溝は、横断要素の厚み全体にわたって略均一に腹側面に分布され、腹側面が現実には２つ以上の実質的に同じ寸法の部分に分割されるようにすることが望ましい。本発明と関連して、特に単一の半径方向溝を持つ実施例は、特に効果的であることが立証されており、この実施例について、上述の従来技術の値より高い摩擦係数さえ測定されている。
【００１２】
しかしながら、単数あるいは複数の半径方向の溝を持つこれら実施例の大きな欠点は、少なくとも従来の形成工程である横断要素の（精密）打ち抜きでは、研削や放電加工等の追加工程ステップで腹側面の表面に溝を形成しなければならないということである。この欠点を回避するため、本発明はまた、横断要素の第２の実施例を提供し、これにおいて、腹側面は多数の溝を備え、溝は実質的に横断要素の厚みに渡って延びる。少なくともプーリー・シーブに関して実質的に接線方向を向くこの種の溝は、横断要素の高さに渡って略均一に分布するのが望ましい。溝間の距離は、この場合、溝なしの変速機において動作中に発生すると算出される腹側面上の所謂ヘルツ接触、すなわち、圧縮領域、の高さ方向の最大寸法未満であることが望ましい。この第２実施例に関連して、測定した摩擦係数は当初測定した値よりはるかに大きく、最も重要な動作条件で従来値の０．０９に非常に近い。
【００１３】
本発明を添付の図面を参照して例として以下により詳細に説明する。
【００１４】
（図面の簡単な説明）
図１は、従来技術による２個のプーリーと駆動ベルトを備える無段変速機の略図である。
図２は、プーリー・シーブの位置での、図１に示す変速機の接線方向断面図である。
図３は、本発明による、駆動ベルトの移動方向または周方向で見た、駆動ベルトの横断要素の正面図である。
図４は、図３の横断要素の側面図である。
図５は、本発明による横断要素の第２実施例の側面図である。
図６は、本発明の効果を示すグラフである。
【発明を実施するための最良の形態】
【００１５】
図１は、従来技術による無段変速機の中央部の略図である。周知の変速機は、一次偶力Ｔｐでエンジン（図示せず）により駆動可能な、変速機の入力軸６上の一次プーリー１と、二次偶力Ｔｓで負荷（図示せず）を駆動可能な、変速機の出力軸７上の二次プーリー２からなる。両プーリー１、２は、それぞれのプーリー軸６、７に固定された実質的に円錐形のプーリー・シーブ５と、前記軸６，７に対して軸方向に変位可能な同様に実質的に円錐形のプーリー・シーブ４を備える。駆動ベルト３は２個のプーリー１、２のプーリー・シーブ４、５の間にクランプされ、この駆動ベルトは、それぞれの場合に、実質的に円弧、すなわち、走行半径Ｒの一部の経路を描く。機械的力を、駆動ベルト３とプーリー１、２との間の摩擦の支援により２個のプーリー軸６，７の間に伝達することができ、変速機１の変速比は、それぞれ一次および二次プーリー１および２の位置における駆動ベルト３の走行半径Ｒの商によって与えられる。
【００１６】
ここに示す駆動ベルト３は、いわゆるプッシュベルトタイプで、一連の横断要素３２からなり、横断要素はそれぞれ、下部体３３と、上部体３５と、下部体３３と上部体３５を接続する中間体３４とからなる。上部体３５に面する下部体３３の上側、すなわち、中間体３４の両側のその半径方向外向きの縁３６は、連続張力要素３１の２個の支持面３６を形成し、張力要素は、多数の入れ子となった、平坦かつ比較的薄い金属製のリングの２個以上の群３１ａ、３１ｂから形成される。横断要素３２の実質的に矢印形の上部体３５は、張力要素３１の半径方向外側に位置し、後者を高さ方向に包囲する一方、中間体３４は、張力要素３１のリング群３１ａ、３１ｂの間に位置する。この場合、中間体の軸方向横向きの縁３７はそれぞれ、リング群３１ａ、３１ｂについて軸方向の停止面３７を形成する。
【００１７】
横断要素３２は、張力要素３１の周方向に対して移動可能なようにプッシュベルト３に保持される。この配置において、各横断要素の１つの主要面、例えば後面４２は凹部（図示せず）を備え、それぞれの他の主要面、例えば前面４３は突起４４を備え、横断要素３２の突起４４は、それぞれの場合、隣接する横断要素３２の凹部を受ける。横断要素３２の下部体３３は、傾斜縁４５として知られる、全体としてわずかに丸まった過渡部を、実質的に一定の厚さの横断要素３２の上側と、有効に先細りのその下側との間に備え、傾斜縁４５は、横断要素３２の前面４３に横断方向に延びる。傾斜縁４５により、隣接する横断要素３２の間で傾斜またはロール移動が可能になり、その結果、プッシュベルト３が、周方向で見て、プーリー１、２のシーブ４、５の間の湾曲経路を追従できるようになる。
【００１８】
プーリー・シーブ４、５の位置で図１の変速機においてシーブ４、５の位置での接線方向断面図として略図で描いた図２に示すように、２個のプーリー１，２のシーブ４、５の円錐面を、球面または凸とすることは従来技術から周知である。この例では、プーリー・シーブ４、５の円錐面１０は、一定の曲率半径Ｒｒ１０で半径方向にわずかに凸状に湾曲する。横断要素３２の下部体３３の両側の横方向接触面または腹側面（接触面）４０もまた、半径または高さ方向に曲率半径Ｒｒ４０の凸状曲面を備える。実際には、２つの曲率半径Ｒｒ１０およびＲｒ４０は図２（およびその他の図面）に示すよりはるかに大きく、これらは図面ではわかりやすいように強調されている。さらに、前記曲率半径Ｒｒ１０、Ｒｒ４０は、半径方向とプーリー・シーブ４、５または腹側面４０との間の角度が、有意な程度すなわち数度、例えば、７．５度から１１．５度の間の４度変化するように画定される。ゆえに、幾何学的には、点状接触がベルトとプーリーの間で画定される。
【００１９】
さらに、実際には、上述の一定の曲率半径Ｒｒ１０、Ｒｒ４０に対して、半径または高さ方向に変化する曲率半径も使用されている。
【００２０】
上述の変速機においては、プーリー１、２のシーブ面１０と駆動ベルト３のそれぞれの腹側面（接触面）４０との間の摩擦接触は、所謂ヘルツ楕円点状接触で生成され、ここで、それぞれの摩擦面１０、４０の磨耗および／または損傷をできる限り制限するため、液体潤滑剤も使用される。この種の摩擦接触は既にチェーンタイプとして知られる駆動ベルトと組み合わせてしばらく用いられているが、これは連続摩擦面１０、４０を備える。出願人は、少なくともプッシュベルトタイプの現在の駆動ベルト３との組み合わせにおいて、１つ以上の溝４１を腹側面４０に設けることにより、前記摩擦接触に作用する摩擦面１０、４０の寸法を有意に増加可能であることを発見した。
【００２１】
本発明を、横断要素３２に基づき図３および図４に略図として示すが、その腹側面（接触面）４０は、横断要素３２の実質的に厚み方向、すなわち、腹側面（接触面）４０の幅方向に向き、後面４２と前面４３との間に延びる多数の溝４１を備える。この文脈において、図３は本発明による横断要素３２の正面図、図４はその側面図を示す。
【００２２】
図示の横断要素３２の実施例において、腹側面（接触面）４０の連続する凸状湾曲輪郭は溝４１によって中断され、その結果、溝４１ａの両側の輪郭の部分４０ａ、４０ｂは明らかに小さい角度で互いに対して傾いている。当然ながら、上述の部分４０ａ、４０ｂを、それぞれの場合に、互いに並んで配置することにより、腹側面４０に連続する輪郭を保持することも可能である。原則としては好適であるが、この後者の選択肢は、変速機が正しく機能するため本質的に必要である。
【００２３】
溝４１の幅は、高さまたは半径方向で腹側面（接触面）４０の寸法合計の略１％から５％が望ましく、この寸法は、１０％から５０％の程度までの溝４１から構成されるのが望ましい。本発明によると、２個の隣接する溝４１の間の半径方向距離は、溝４１がない場合に変速機の動作中に発生する腹側面４０上のヘルツ接触または圧縮領域の半径方向の最大寸法の半分以下であることが望ましいことに注意する。上述の半径方向最大寸法は一般的に、上部体３５の方向に見て、腹側面４０の高さと共に増加するので、隣接する溝４１間のこの方向の距離も増加可能であることにも注意する。
【００２４】
溝４１の深さは、それほど重大なパラメータではない。しかしながら、実用的な視点からは特に、本発明によると、この深さは溝４１の幅の２５％から５０％が望ましい。
【００２５】
本発明による第２の実施例を、横断要素３２の側面図の形で図５に示すが、腹側面（接触面）４０は、その高さ全体にわたって延びる溝４１を備え、本発明によるとその幅は横断要素３２の厚みの略１０％から２５％が望ましい。特に第２実施例は本発明に関連して非常に効果的であることが実証されている。
【００２６】
図６に示すグラフは、上述の所見を再び要約したものである。このグラフは、腹側面（接触面）４０とシーブ面１０との間の摩擦接触における摩擦係数μを特性値Ｋの対数に対してプロットしたもので、最も重要な影響を与えるパラメータを表し、中でもＫ＊は、駆動ベルトＩからＩＶの４種類について、動作中に典型的に発生する値を表す。この図から、湾曲しているが連続的な接触面間の摩擦係数μは、曲線ＩＩに表す比較的低い値を持つことがわかる。この値を、曲線Ｉで表す直線的腹側面４０とシーブ面を有する従来設計の変速機の摩擦係数μと比較すると、確かにそうなっている。
【００２７】
図６において、曲線ＩＩＩは、図３に示す本発明による駆動ベルト３の実施例に対する上述の摩擦係数μをプロットしたものであり、曲線ＩＶは、図５の横断要素３２について摩擦係数μをプロットしたものである。
【００２８】
後者２つの曲線ＩＩＩとＩＶは、プーリー１、２と駆動ベルト３との間の摩擦係数μが、本発明を用いる結果、従来の変速機から周知のレベル（曲線Ｉ）に近づき（曲線ＩＩＩ）、あるいはこれを超える（曲線ＩＶ）ことさえありえることを示す。
【図面の簡単な説明】
【００２９】
【図１】従来技術による２個のプーリーと駆動ベルトを備える無段変速機の略図である。
【図２】プーリー・シーブの位置での、図１に示す変速機の接線方向断面図である。
【図３】本発明による、駆動ベルトの走行方向または周方向で見た、駆動ベルトの横断要素の正面図である。
【図４】図３の横断要素の側面図である。
【図５】本発明による横断要素の第２実施例の側面図である。
【図６】本発明の効果を示すグラフである。
【符号の説明】
【００３０】
１、２  プーリー  ３  駆動ベルト  ４，５  シーブ  ６  入力軸  ７  出力軸  ３１  張力要素  ３２  横断要素  ４０  腹側面（接触面）  ４１  溝
【図１】
0005312793.tif 000002
【図２】
0005312793.tif 000003
【図３】
0005312793.tif 000004
【図４】
0005312793.tif 000005
【図５】
0005312793.tif 000006
【図６】
0005312793.tif 000007